(57)【要約】【課題】従来に比して効率よくかつ効果的に水分除去を行うとともに、経済的にも有利なコイン状物の乾燥装置を提供する。【解決手段】連続搬送される洗浄後のコイン状物Ｃに付着した水分を除去するための乾燥装置１０であって、それぞれ対向配置された面板部２１と側壁部２２からなり、コイン状物Ｃのコイン面Ｃ１が摺接しつつ後方から前方へ押圧移動されるコイン通路２０と、コイン通路２０の面板部２１に形成された複数の切欠溝３０と、コイン通路２０の切欠溝３０の外側にエアチャンバ４５を形成する外面部材４０と、送風機と接続され、エアチャンバ４５内の前部４６からエアを噴出するエア吹出部５０と、エアチャンバ４５内に立設されて切欠溝３０を介してコイン通路２０と該エアチャンバ４５とを区画し接続する隔壁部材６０とを有する。【選択図】図３
2008261540.tif 000002
【特許請求の範囲】
【請求項１】
連続搬送される洗浄後のコイン状物に付着した水分を除去するための乾燥装置であって、
それぞれ対向配置された面板部と側壁部からなり、コイン状物のコイン面が摺接しつつ後方から前方へ押圧移動されるコイン通路と、
前記コイン通路の面板部に形成された複数の切欠溝と、
前記コイン通路の前記切欠溝の外側にエアチャンバを形成する外面部材と、
送風機と接続され、前記エアチャンバ内の前部からエアを噴出するエア吹出部と、
前記エアチャンバ内に立設されて前記切欠溝を介して前記コイン通路と該エアチャンバとを区画し接続する隔壁部材
とを有することを特徴とするコイン状物の乾燥装置。
【請求項２】
前記コイン通路が上下方向に配設され、前記コイン状物が前記コイン通路の下方から上方に移動される請求項１に記載のコイン状物の乾燥装置。
【請求項３】
前記対向する面板部のそれぞれに切欠溝、外面部材、エア吹出部及び隔壁部材が形成されている請求項１又は２に記載のコイン状物の乾燥装置。
【請求項４】
前記切欠溝が平行な列状に配設されている請求項１ないし３のいずれか１項に記載のコイン状物の乾燥装置。
【請求項５】
前記一の面板部と他の面板部とにおける切欠溝の溝方向が互いに異なる請求項４に記載のコイン状物の乾燥装置。
【請求項６】
前記隔壁部材が前記切欠溝内に入り込んで設けられている請求項１ないし５のいずれか１項に記載のコイン状物の乾燥装置。
【請求項７】
前記隔壁部材が前記切欠溝に対して１つおきに設けられている請求項６に記載のコイン状物の乾燥装置。
【請求項８】
前記隔壁部材が外面部材に一体に形成されている請求項１ないし７のいずれか１項に記載のコイン状物の乾燥装置。
【発明の詳細な説明】
【技術分野】
【０００１】
本発明は、連続搬送される洗浄後のコイン状物に付着した水分を除去するためのコイン状物の乾燥装置に関する。
【背景技術】
【０００２】
一般に、遊技施設のスロットマシン等に使用されるメダル等のコイン状物は、表面に付着した手垢等の汚れを除去するために定期的に洗浄される。このようなコイン状物の洗浄を行う場合には、例えば、図１２に示すように、連続搬送されるコイン状物Ｃを洗浄水Ｗ中で洗浄する洗浄部１９０を有するコイン状物の洗浄装置１５０が用いられる。図示した洗浄装置１５０では、貯留部１５１内のコイン状物Ｃを送出部１７０によって１枚ずつ送出し、搬送レール１８０内を列状に押圧移動させて、前記搬送レール１８０の途中に配設された洗浄部１９０の洗浄水Ｗ１中を通過させて洗浄するように構成される（例えば、特許文献１参照。）。
【０００３】
図において、符号１５２はコイン状物Ｃの排出部、１９１は洗浄水Ｗ１が貯留された洗浄部１９０の洗浄水槽、１９５は洗浄水槽１９１内に配置され洗浄水Ｗに超音波振動を付与してコイン状物Ｃを洗浄する超音波発信部である。
【０００４】
ところで、上記の如く洗浄されたコイン状物Ｃでは、通常、洗浄後に表面に付着した水分の除去を行う必要がある。従来、コイン状物Ｃに付着した水分の除去を行う際には、例えば、図１２に示すように、洗浄部１９０に接続されたコイン通路１８５にスポンジ１６０を配置して前記コイン通路１８５内を移動するコイン状物Ｃを狭圧して水分を吸収し、さらに、その前方に配置された水分除去部１６５において、放射熱源の熱照射と送風機からの加熱空気の循環によってコイン状物Ｃを乾燥させるように構成される。
【０００５】
しかしながら、前記従来の水分除去手段にあっては、金属の材質等によって乾燥むらが生じる等、十分な水分除去を行うことができない場合がある。また、特に、消耗品であるスポンジ１６０によって水分を吸収する工程を含むことにより、前記スポンジ１６０を適宜交換する必要があるため作業効率や経済面において不利であり、さらに、スポンジ１６０による水分吸収を行った後に放射熱源や送風機等を用いた乾燥工程を行うため、火災の危険性や消費電力が大きく経済的に不利となる問題があった。
【０００６】
また、コイン状物Ｃに付着した水分を除去する手段としては、前記従来の水分除去手段の他、コイン通路１８５に前記スポンジ１６０の代わりとして吸水効果を向上させた特殊素材の吸水部材を配置して放射熱源や送風機等を用いずに水分を除去するものや、ロール状の布を回転させてコイン状物Ｃに付着した水分を拭き取って除去するもの、あるいは、コイン状物Ｃに高速で噴出されるエアを直接吹き付けるもの等が知られている。
【０００７】
しかしながら、特殊素材の吸水部材は、吸水効果は高いものの汚れに弱く吸水効果の持続性が低いため前記スポンジ１６０と同様に消耗品として適宜交換する必要があり、しかも高価格であるため特に経済的に不利である。また、ロール状の布による水分の拭き取りでは、前記スポンジ１６０や特殊素材の吸水部材等に比して吸水効果が劣って十分な水分除去を行うことが困難であり、しかも、使用後に前記ロール状の布の乾燥を行わなければならない等の手間がかかる。さらに、高速で噴出されるエアを直接吹き付ける手段では、コイン状物Ｃの形状（例えば、表面の凹凸）によって水分除去効果にむらが生じ、十分な水分除去を行うことが困難となる問題がある。
【０００８】
なお、前記した従来の各水分除去手段では、コイン状物Ｃに付着した水分の除去を行うに際し、例えば洗浄部１９０の洗浄水Ｗ１を４０℃以上の温水として温めて該温水中に前記コイン状物Ｃを通過させる等、あらかじめ前記コイン状物Ｃを温めなければ十分な水分除去効果を得ることができないため、前記各水分除去手段に加えてコイン状物Ｃの加熱手段が必要となって、前記加熱手段のための電力消費等のコストがさらにかかるという問題もある。
【特許文献１】特開２００５−２２４７１７号公報
【発明の開示】
【発明が解決しようとする課題】
【０００９】
本発明は前記の点に鑑みなされたものであり、従来に比して効率よくかつ効果的に水分除去を行うとともに、経済的にも有利なコイン状物の乾燥装置を提供するものである。
【課題を解決するための手段】
【００１０】
すなわち、請求項１の発明は、連続搬送される洗浄後のコイン状物に付着した水分を除去するための乾燥装置であって、それぞれ対向配置された面板部と側壁部からなり、コイン状物のコイン面が摺接しつつ後方から前方へ押圧移動されるコイン通路と、前記コイン通路の面板部に形成された複数の切欠溝と、前記コイン通路の前記切欠溝の外側にエアチャンバを形成する外面部材と、送風機と接続され、前記エアチャンバ内の前部からエアを噴出するエア吹出部と、前記エアチャンバ内に立設されて前記切欠溝を介して前記コイン通路と該エアチャンバとを区画し接続する隔壁部材とを有することを特徴とするコイン状物の乾燥装置に係る。
【００１１】
請求項２の発明は、前記コイン通路が上下方向に配設され、前記コイン状物が前記コイン通路の下方から上方に移動される請求項１に記載のコイン状物の乾燥装置に係る。
【００１２】
請求項３の発明は、前記対向する面板部のそれぞれに切欠溝、外面部材、エア吹出部及び隔壁部材が形成されている請求項１又は２に記載のコイン状物の乾燥装置に係る。
【００１３】
請求項４の発明は、前記切欠溝が平行な列状に配設されている請求項１ないし３のいずれか１項に記載のコイン状物の乾燥装置に係る。
【００１４】
請求項５の発明は、前記一の面板部と他の面板部とにおける切欠溝の溝方向が互いに異なる請求項４に記載のコイン状物の乾燥装置に係る。
【００１５】
請求項６の発明は、前記隔壁部材が前記切欠溝内に入り込んで設けられている請求項１ないし５のいずれか１項に記載のコイン状物の乾燥装置に係る。
【００１６】
請求項７の発明は、前記隔壁部材が前記切欠溝に対して１つおきに設けられている請求項６に記載のコイン状物の乾燥装置に係る。
【００１７】
請求項８の発明は、前記隔壁部材が外面部材に一体に形成されている請求項１ないし７のいずれか１項に記載のコイン状物の乾燥装置に係る。
【発明の効果】
【００１８】
請求項１の発明に係るコイン状物の乾燥装置は、連続搬送される洗浄後のコイン状物に付着した水分を除去するための乾燥装置であって、それぞれ対向配置された面板部と側壁部からなり、コイン状物のコイン面が摺接しつつ後方から前方へ押圧移動されるコイン通路と、前記コイン通路の面板部に形成された複数の切欠溝と、前記コイン通路の前記切欠溝の外側にエアチャンバを形成する外面部材と、送風機と接続され、前記エアチャンバ内の前部からエアを噴出するエア吹出部と、前記エアチャンバ内に立設されて前記切欠溝を介して前記コイン通路と該エアチャンバとを区画し接続する隔壁部材とを有するため、連続搬送されるコイン状物に対して様々な方向からエアを吹き付けることができ、従来に比して効率よくかつ効果的に水分除去を行うことが可能となって、経済的にも有利である。
【００１９】
請求項２の発明は、請求項１において、前記コイン通路が上下方向に配設され、前記コイン状物が前記コイン通路の下方から上方に移動されるため、コイン状物の水切りが容易となって、水分除去効果が向上する。
【００２０】
請求項３の発明は、請求項１又は２において、前記対向する面板部のそれぞれに切欠溝、外面部材、エア吹出部及び隔壁部材が形成されているため、コイン状物に対してより多方向からエアを吹き付けることが可能となる。
【００２１】
請求項４の発明は、請求項１ないし３において、前記切欠溝が平行な列状に配設されているため、当該乾燥装置を簡易に構成することができる。
【００２２】
請求項５の発明は、請求項４において、前記一の面板部と他の面板部とにおける切欠溝の溝方向が互いに異なるため、コイン状物に吹き付けるエアをより複雑に流通させることができ、水分除去効果をより向上させることができる。
【００２３】
請求項６の発明は、請求項１ないし５において、前記隔壁部材が前記切欠溝内に入り込んで設けられているため、エアチャンバ内を流通するエアの空気漏れを容易に防止することができる。
【００２４】
請求項７の発明は、請求項６において、前記隔壁部材が前記切欠溝に対して１つおきに設けられているため、コイン通路とエアチャンバとの間でより効率よくエアを流通させることができ、水分除去効果をより向上させることができる。
【００２５】
請求項８の発明は、請求項１ないし７において、前記隔壁部材が外面部材に一体に形成されているため、構成が簡易となって隔壁部材の配置が容易となる。
【発明を実施するための最良の形態】
【００２６】
以下添付の図面に従ってこの発明を詳細に説明する。
図１は本発明の一実施例に係るコイン状物の乾燥装置の上面図、図２は図１の乾燥装置の分解上面図、図３は図１の乾燥装置のＡ−Ａ断面図、図４は図１の乾燥装置のＢ−Ｂ断面図、図５はエア吹出部の斜視図及び断面図、図６は図３の乾燥装置のＸ−Ｘの断面図、図７は図３の乾燥装置のＹ−Ｙの断面図、図８は図１の乾燥装置が接続されたコイン状物の洗浄装置の一部を断面とした概略正面図、図９は図８の洗浄装置の送出装置の一部を切欠いた正面図、図１０は図８の洗浄装置の搬送レールの一部斜視図、図１１は図８の洗浄装置の洗浄部における洗浄状態を示した要部断面図である。
【００２７】
図１〜図３に示す本発明の一実施例に係るコイン状物の乾燥装置１０は、連続搬送される洗浄後のコイン状物Ｃに付着した水分を除去するためのものであって、コイン通路２０と、切欠溝３０と、外面部材４０と、エア吹出部５０と、隔壁部材６０とを有する。
【００２８】
コイン通路２０は、それぞれ対向配置された面板部２１と側壁部２２からなり、コイン状物Ｃのコイン面Ｃ１が摺接しつつ後方から前方へ押圧移動される。実施例のコイン通路２０は、図３及び図４に示すように、一の面板部２１Ａと、該一の面板部２１Ａに対向し側壁部２２と一体に形成された他の面板部２１Ｂとによってコイン状物Ｃが１枚ずつ列状に通過可能な空間として形成されている。また、このコイン通路２０は、水分が付着したコイン状物Ｃが移動される際の水切りを可能とするために、上下方向に配設してコイン状物Ｃがコイン通路２０の下方から上方に移動されるように構成される。
【００２９】
切欠溝３０は、コイン通路２０の面板部２１に複数形成された線状の貫通溝である。実施例の切欠溝３０は、幅が約５ｍｍ、長さが約３５ｍｍの線状溝として構成されており、一の面板部２１Ａに８個形成された切欠溝３１（３１ａ〜３１ｈ）と、他の面板部２１Ｂに前記各切欠溝３１（３１ａ〜３１ｈ）の対向位置に８個形成された切欠溝３２（３２ａ〜３２ｈ）とがそれぞれ設けられている。また、図示の各切欠溝３０は、平行な列状に配置され、特に、一の面板部２１Ａにおける切欠溝３１と他の面板部２１Ｂにおける切欠溝３２の溝方向が互いに異なるように構成される。なお、この実施例では、図２に示すように、切欠溝３１と切欠溝３２とがそれぞれコイン状物の移動方向に対して異なる方向に４５°で傾斜して形成されている。
【００３０】
外面部材４０は、コイン通路２０の切欠溝３０の外側にエアチャンバ４５を形成するものである。実施例の外面部材４０は、図４に示すように、断面コの字型の部材であって、切欠溝３０が形成された面板部２１の外面側を覆うように配置される。また、この外面部材４０では、一の面板部２１Ａの外側に一のエアチャンバ４５Ａを形成する外面部材４１と、他の面板部２１Ｂの外側に他のエアチャンバ４５Ｂを形成する外面部材４２がそれぞれ配設される。
【００３１】
エア吹出部５０は、図示しない公知の送風機と接続され、エアチャンバ４５内の前部４６からエアを噴出するように構成される。実施例のエア吹出部５０は、図３及び図５に示すように、内部に送風機からのエアが流通するエア流通部５２が形成され、エアチャンバ４５の前部４６側に開口した送風口５１を介して前記エアチャンバ４５内にエアを噴出するものである。また、このエア吹出部５０では、一の面板部２１Ａ側のエアチャンバ４５Ａの前部４６Ａ側にエアを噴出する送風口５１Ａと、他の面板部２１Ｂのエアチャンバ４５Ｂの前部４６Ｂ側にエアを噴出する送風口５１Ｂが形成されている。実施例において、各送風口５１Ａ，５１Ｂは、一の送風口５１Ａに連通するエア流通部５２Ａと他の送風口５１Ｂに連通するエア流通部５２Ｂとがそれぞれ送風機との接続部５５から分岐して一体に形成されている。なお、図において、符号５３は接続部５５の反対側の端部に開口しコイン通路２０を各面板部２１Ａ，２１Ｂの両側から狭持して固定するための固定部、５４はコイン通路２０を前記固定部５３に固定するための固定部材、５６は図示しない送風機に接続された送風管である。
【００３２】
隔壁部材６０は、エアチャンバ４５内に立設されて切欠溝３０を介してコイン通路２０と該エアチャンバ４５とを区画し接続するものである。この隔壁部材６０では、図３，６，７に示すように、一の面板部２１Ａ側のエアチャンバ４５Ａ内に立設される隔壁部材６１（６１ａ，６１ｃ，６１ｅ，６１ｇ）と、他の面板部２１Ｂ側のエアチャンバ４５Ｂ内に立設される隔壁部材６２（６２ｂ，６２ｄ，６２ｆ，６２ｈ）とがそれぞれ形成される。実施例では、各隔壁部材６１，６２がそれぞれ各切欠溝３１，３２内に入り込んで設けられており、その際、隔壁部材６１，６２は、前記切欠溝３１，３２の後方壁面３１Ａ，３２Ａに当接するとともに、各切欠溝３１，３２の溝深さの略中間点付近まで入り込んで配設される。また、図３に示すように、各隔壁部材６１，６２は、前記切欠溝３１，３２に対して１つおきに設けられており、特に、対向位置に形成された各切欠溝３１，３２において、一の面板部２１Ａ側の隔壁部材６１と他の面板部２１Ｂ側の隔壁部材６２とがそれぞれ対向しないように交互に配置（切欠溝３１ａ，３１ｃ，３１ｅ，３１ｄに対して隔壁部材６１ａ，６１ｃ，６１ｅ，６１ｇ、切欠溝３２ｂ，３２ｄ，３２ｆ，３２ｈに対して隔壁部材６２ｂ，６２ｄ，６２ｆ，６２ｈ）されている。さらに、この隔壁部材６０は、組立作業等を容易にするために、外面部材４０に一体に形成されていることが好ましく、図２，６，７に示すように、各外面部材４１，４２の両側面４１Ａ，４１Ｂ，４２Ａ，４２Ｂに亘って設けられている。
【００３３】
次に、当該乾燥装置１０によるコイン状物Ｃの乾燥方法に関し、送風機から前記乾燥装置１０へ送風されるエアの流通経路を模式的に説明する。まず、図３に示すように、洗浄後のコイン状物Ｃがコイン通路２０内を後方から前方へ押圧移動されて連続搬送され、図示しない送風機から送風管５６を介してエア吹出部５０にエアが送風される。その際、送風機から送風されるエアは、最大吐出圧力６．８６〜１０（ｋＰａ）、最大吐出空気量０．５８〜０．６９（ｍ3／ｍｉｎ）である。
【００３４】
送風機から送風されたエアは、図３，６，７に示すように、エア吹出部５０の各エア流通部５２Ａ，５２Ｂを流通して各送風口５１Ａ，５１Ｂからエアチャンバ４５Ａ，４５Ｂ内の前部４６Ａ，４６Ｂ側にそれぞれ噴出される。その際、送風口５１Ａから噴出されてエアチャンバ４５Ａ内を流通するエアは、エアチャンバ４５Ａ内の隔壁部材６１ａに遮断されることによって、切欠溝３１ａを介して接続されたコイン通路２０内に送風される。
【００３５】
一方、送風口５１Ｂから噴出されてエアチャンバ４５Ｂ内を流通するエアは、切欠溝３２ａを介してコイン通路２０内に送風されるとともに、前記切欠溝３２ａを通過してエアチャンバ４５Ｂ内の隔壁部材６２ｂに遮断されて切欠溝３２ｂを介して接続されたコイン通路２０内に送風される。そして、エアチャンバ４５Ａ内から切欠溝３１ａを介して送風されたエアと、エアチャンバ４５Ｂ内から切欠溝３２ａ，３２ｂを介して送風されたエアとが合流して、前記コイン通路２０内を流通するように構成される。
【００３６】
次いで、コイン通路２０内を流通するエアは、そのまま継続して該コイン通路２０内を流通するとともに、切欠溝３１ｂを介して接続されたエアチャンバ４５Ａ内に送風されて前記エアチャンバ４５Ａ内を流通し、前記エアチャンバ４５Ａ内の隔壁部材６１ｃに遮断されて切欠溝３１ｃからコイン通路２０内に再度送風されてコイン通路２０内を流通するエアと合流する。また、コイン通路２０内を流通するエアは、切欠溝３２ｃを介して接続されたエアチャンバ４５Ｂ内にも送風されて前記エアチャンバ４５Ｂ内を流通し、前記エアチャンバ４５Ｂ内の隔壁部材６２ｄに遮断されて切欠溝３２ｄからコイン通路２０内に再度送風されてコイン通路２０内を流通するエアと合流する。
【００３７】
以後同様に、コイン通路２０内を流通するエアは、切欠溝３１ｄからエアチャンバ４５Ａ内に送風されて隔壁部材６１ｅによって切欠溝３１ｅからコイン通路２０内に送風されるとともに、切欠溝３１ｆからエアチャンバ４５Ａ内に送風されて隔壁部材６１ｇによって切欠溝３１ｇからコイン通路２０内に送風される一方、切欠溝３２ｅらエアチャンバ４５Ａ内に送風されて隔壁部材６２ｆによって切欠溝３２ｆからコイン通路２０内に送風されるとともに、切欠溝３２ｇからエアチャンバ４５Ａ内に送風されて隔壁部材６２ｈによって切欠溝３２ｈからコイン通路２０内に送風される。
【００３８】
上記の如く、当該乾燥装置１０では、エアチャンバ４５（４５Ａ，４５Ｂ）内を流通するエアを各隔壁部材６０（６１，６２）によって遮断して各切欠溝３０（３１，３２）からコイン通路２０内に送風するとともに、コイン通路２０内にもエアを流通させることにより、エア吹出部５０（５１Ａ，５１Ｂ）から噴出されたエアが前記コイン通路２０とエアチャンバ４５（４５Ａ，４５Ｂ）との間で様々な方向に流通するように構成される。そのため、コイン通路２０内を後方から前方へ連続搬送されるコイン状物Ｃに対して、移動方向側やコイン面Ｃ１側（エアチャンバ４５側）等の様々な方向からエアを吹き付けることができる。
【００３９】
また、この乾燥装置１０では、コイン通路２０が立設されて、コイン状物Ｃをコイン通路２０の下方から上方に移動するように構成されているため、コイン状物Ｃの水切りが容易となって、効率よく水分を除去することができる。
【００４０】
さらに、切欠溝３０（３１，３２）を平行な列状に配設し、一の面板部２１Ａと他の面板部２１Ｂとにおける切欠溝３１，３２の溝方向を互いに異ならせることにより、簡易な構成でコイン状物Ｃに吹き付けるエアをより複雑に流通させることができ、水分除去効果をより向上させることができる。
【００４１】
また、隔壁部材６０（６１，６２）が切欠溝３０（３１，３２）内に入り込んで設けられることにより、エアチャンバ４５（４５Ａ，４５Ｂ）を流通するエアを遮断する際の空気漏れを防止することができ、効率よくコイン通路２０内にエアを送風することができる。特に、前記隔壁部材６１，６２を切欠溝３１，３２に対して一つおきに設けることにより、コイン通路２０とエアチャンバ４５（４５Ａ，４５Ｂ）との間でより効率よくエアを流通させることができ、水分除去効果をより向上させることができる。
【００４２】
このように、本発明の乾燥装置１０にあっては、従来の乾燥手段のようにスポンジ等の消耗品や放射熱源等を使用することなく、効果的にコイン状物Ｃの水分除去を行うことができる。また、この実施例では、４０℃以上の温水等でコイン状物をあらかじめ温める必要がなく、常温（約２０℃）でも十分な水分除去効果を発揮することができた。したがって、従来に比して優れた水分除去効果を発揮することができるとともに、消費電力等が大幅に低減されて経済的にも有利である。
【００４３】
また、本発明の乾燥装置１０は、図８に示すように、コイン状物Ｃを洗浄する洗浄部９０にコイン通路２０を接続し、コイン洗浄装置１００と一体に形成することができる。図において、符号７０はコイン状物Ｃが貯留される貯留部１０１に貯留された複数のコイン状物Ｃを１枚ずつ送出して押圧移動させる送出部、８０は送出部７０から送出されたコイン状物を搬送する搬送レール、１０２はコイン状物Ｃの排出部である。
【００４４】
送出部７０は、図９に示すように、駆動装置であるモータによって駆動される回転体７１を備えた公知の送出装置からなる。この送出部７０では、回転体７１のポケット部７２にコイン状物Ｃが１枚ずつ収容されて、該回転体７１が回転することによって爪板７５にガイドされ背板７４と摺接して移動され、爪板７５により形成された送出路７７へ送り込まれて、前方に位置するコイン状物Ｃを後方から押しながら前記送出路７７を介して送出部７０外部へ送り出すように構成される。図中の符号７３は回転体７１の中心突部、７６は回転体７１の回転軸、７８は表厚板を表す。
【００４５】
搬送レール８０は、送出部７０に接続され、前記コイン通路２０と同様に構成されたものであって、図１０に示すように、それぞれ対向配置された面板部８１と側壁部８２からなり、コイン状物Ｃのコイン面Ｃ１が摺接しつつ後方から前方へ押圧移動されるものである。図において、符号８３は面板部８１に形成された窓部である。
【００４６】
洗浄部９０は、図８，１１に示すように、洗浄水槽９１と超音波発信部９５を備えている。この洗浄水槽９１は、図示のように、搬送レール８０の途中に配設されて所定量の洗浄水Ｗで満たされている。超音波発信部９５は、洗浄水槽９１に満たされた洗浄水Ｗに超音波振動を付与するものであって、搬送レール８０に保持されたコイン状物Ｃのコイン面Ｃ１に対して両側に配置されている。搬送レール８０に保持されるコインＣに付着した手垢や汚れは、窓部８３を介して搬送レール８０内に浸入する微小な気泡９６が圧壊するキャビテーション現象によって除去され、さらに、コイン状物Ｃの円周部Ｃ２は、キャビテーション現象とコイン状物Ｃの共振とによって効果的に洗浄される。これによって、凹凸のあるコイン状物Ｃの表面に入り込んだ手垢等の汚れに対しても十分な洗浄効果を得ることができる。また、実施例の超音波発信部９５は、最大出力が７８０Ｗの超音波発生装置であって所定の周波数を発生させる超音波振動子８個を有しており、各超音波発信部９５を、すべての超音波振動子が同一平面上で重ならないように配置している。なお、洗浄水Ｗとしては、常温（約２０℃）の水が使用される。
【００４７】
この実施例では、乾燥装置１０のコイン通路２０が洗浄部９０内に配置された搬送レール８０と接続されて前記洗浄部９０の上部側に配置されているため、前記洗浄部９０において洗浄されたコイン状物Ｃに付着した水分を直ちに除去することができる。このように、乾燥装置１０とコイン洗浄装置１００とを一体に形成することにより、洗浄されたコイン状物Ｃに付着した水分の除去を直ちに行うことができ、汚れのないきれいなコイン状物を効率よく提供することができる。
【００４８】
なお、本発明のコイン状物の乾燥装置は、前述の実施例のみに限定されるものではなく、発明の趣旨を逸脱しない範囲において構成の一部を適宜に変更して実施することができる。実施例では、隔壁部材が切欠溝に入り込んで設けられるように構成したが、切欠溝を介してコイン通路とエアチャンバとを区画し接続する際に前記エアチャンバ内において空気漏れが生じない構成であれば隔壁部材をどのように配置してもよく、例えば、列状に配置された各切欠溝の間に設けても構わない。
【００４９】
また、実施例では、隔壁部材を外面部材に一体に形成したが、面板部と一体に形成することもできる。
【図面の簡単な説明】
【００５０】
【図１】図１は本発明の一実施例に係るコイン状物の乾燥装置の上面図である。
【図２】図１の乾燥装置の分解上面図である。
【図３】図１の乾燥装置のＡ−Ａ断面図である。
【図４】図１の乾燥装置のＢ−Ｂ断面図である。
【図５】エア吹出部の斜視図及び断面図である。
【図６】図３の乾燥装置のＸ−Ｘの断面図である。
【図７】図３の乾燥装置のＹ−Ｙの断面図である。
【図８】図１の乾燥装置が接続されたコイン状物の洗浄装置の一部を断面とした概略正面図である。
【図９】図８の洗浄装置の送出装置の一部を切欠いた正面図である。
【図１０】図８の洗浄装置の搬送レールの一部斜視図である。
【図１１】図８の洗浄装置の洗浄部における洗浄状態を示した要部断面図である。
【図１２】従来の乾燥装置が接続されたコイン状物の洗浄装置の一部を断面とした概略正面図である。
【符号の説明】
【００５１】
１０  コイン状物の乾燥装置
２０  コイン通路
２１  面板部
２２  側壁部
３０  切欠溝
４０  外面部材
４５  エアチャンバ
５０  エア吹出部
６０  隔壁部材
Ｃ    コイン状物
【図１】
2008261540.tif 000003
【図２】
2008261540.tif 000004
【図３】
2008261540.tif 000005
【図４】
2008261540.tif 000006
【図５】
2008261540.tif 000007
【図６】
2008261540.tif 000008
【図７】
2008261540.tif 000009
【図８】
2008261540.tif 000010
【図９】
2008261540.tif 000011
【図１０】
2008261540.tif 000012
【図１１】
2008261540.tif 000013
【図１２】
2008261540.tif 000014